(57)【要約】【課題】タッチパネルに対する一回の入力操作で、画像の印刷条件及び画像が形成される記録紙の枚数を共に指示できるようにする。【解決手段】画像形成装置１０は、画像形成部１２と、表示部２２と、表示部２２の画面に設けられたタッチパネル２５と、タッチパネル２５に対するスライド操作により表示部２２の画面上にスライド操作が行われたとき、タッチパネル２５により認識された当該スライド操作が示す数字及び当該数字のサイズを識別する識別部３２と、予め記憶している複数の印刷条件のうちから、識別部３２によって識別された数字のサイズに対応する印刷条件を設定し、識別部３２によって識別された数字が示す枚数の記録紙に上記設定した印刷条件で画像形成部１２により画像を形成させる制御部３１とを備える。【選択図】図２
2019195985.tif 000002
【特許請求の範囲】
【請求項１】
画像を記録紙に形成する画像形成部と、
表示部と、
前記表示部の画面に設けられたタッチパネルと、
前記タッチパネルに対するスライド操作が行われたとき、前記タッチパネルにより認識された当該スライド操作が示す数字及び当該数字のサイズを識別する識別部と、
予め記憶している複数の印刷条件のうちから、前記識別部によって識別された前記数字のサイズに対応する印刷条件を設定し、前記識別部によって識別された前記数字が示す枚数の記録紙に前記設定した印刷条件で前記画像形成部により画像を形成させる制御部と、を備える画像形成装置。
【請求項２】
前記識別部は、前記タッチパネルに対するタッチ操作が一定時間継続した場合に、該タッチ操作に続く前記スライド操作により前記表示部の画面上に描かれた前記数字及び該数字のサイズを識別する請求項１に記載の画像形成装置。
【請求項３】
前記識別部は、前記表示部の画面の余白領域において、前記タッチパネルに対する前記スライド操作が行われた場合に、当該スライド操作が示す前記数字及び該数字のサイズを識別する請求項１に記載の画像形成装置。
【請求項４】
前記識別部は、前記タッチパネルに対するスライド操作が行われてから、規定時間経過後にさらなるスライド操作が行われると、先に行われたスライド操作及び後に行われたスライド操作が示すそれぞれの数字を識別して、当該先のスライド操作に対応する数字を上位の桁とし、当該後に行われたスライド操作が示す数字を下の桁とする複数桁の数字を識別し、
前記制御部は、前記識別された複数の数桁の数字が示す枚数の記録紙に、前記画像形成部により画像を形成させる請求項２又は請求項３に記載の画像形成装置。
【請求項５】
前記制御部は、前記タッチパネルに対するタッチ操作が一定時間継続した場合には、前記表示部の画面に表示されているグラフィカルユーザーインターフェースに対する操作に基づく指示の入力を受け付けない請求項２に記載の画像形成装置。
【請求項６】
前記表示部の画面は、複数種の数字サイズに対応するそれぞれの領域に区分され、
前記識別部は、前記表示部の画面上で行われたスライド操作の始点又は終点を含む前記各領域のいずれかに対応するサイズを、当該スライド操作が示す数字のサイズとして識別する請求項１乃至請求項５のいずれかに記載の画像形成装置。
【請求項７】
前記制御部は、前記表示部の画面における前記各領域をそれぞれ異なる表示態様で表示させる請求項６に記載の画像形成装置。
【請求項８】
前記制御部は、前記数字のサイズに対応する印刷条件及び該数字に対応する枚数を示す確認メッセージを前記表示部に表示させる請求項１乃至請求項７のいずれかに記載の画像形成装置。
【発明の詳細な説明】
【技術分野】
【０００１】
本発明は、表示部及び該表示部の画面に設けられたタッチパネルを備える画像形成装置に関し、特に、タッチパネルに対する操作により画像の印刷条件などを設定するための技術に関する。
【背景技術】
【０００２】
画像形成装置としては、下記特許文献１に示されるように、機能の機能名と当該機能の識別情報とを対応付けてデータベースに予め記憶しておき、タッチパネルに対する操作により機能名が入力されると、この機能名の機能に対応する機能識別情報をデータベースから特定して、この特定された機能識別情報及び表示ルールに従って、上記機能の設定を行うための設定ボタンなどを表示部に表示させるものが提案されている。
【０００３】
また、下記特許文献２には、案内メッセージと機能ボタンの組み合わせをタッチセンサ付表示パネルに表示し、ユーザーが案内メッセージへの回答として、「○」又は「×」などの特別文字を手書き入力すると、この入力された特別文字に応じて実行されるべき機能を選択する装置が示されている。
【先行技術文献】
【特許文献】
【０００４】
【特許文献１】特開２００８−２１３３４３号公報
【特許文献２】特開２００８−２３４０９７号公報
【発明の概要】
【発明が解決しようとする課題】
【０００５】
ここで、特許文献１及び特許文献２に記載の技術では、タッチパネル又はタッチセンサに対する操作により入力された機能名や特別文字に対応する、設定ボタンの表示や、機能の選択が行われているが、更なる詳細設定を入力するためには、設定ボタンに基づいて更なる指示を入力し、或いは、当該機能についての設定を入力する操作を更に行う必要があり、入力操作が面倒である。
【０００６】
本発明は、上記の事情に鑑みなされたものであり、タッチパネルに対する１回の入力操作で、画像の印刷条件及び画像が形成される記録紙の枚数を共に指示できるようにすることを目的とする。
【課題を解決するための手段】
【０００７】
本発明の一局面にかかる画像形成装置は、画像を記録紙に形成する画像形成部と、表示部と、前記表示部の画面に設けられたタッチパネルと、前記タッチパネルに対するスライド操作が行われたとき、前記タッチパネルにより認識された当該スライド操作が示す数字及び当該数字のサイズを識別する識別部と、予め記憶している複数の印刷条件のうちから、前記識別部によって識別された前記数字のサイズに対応する印刷条件を設定し、前記識別部によって識別された前記数字が示す枚数の記録紙に前記設定した印刷条件で前記画像形成部により画像を形成させる制御部と、を備えるものである。
【発明の効果】
【０００８】
本発明によれば、タッチパネルに対する１回の入力操作で、画像の印刷条件及び画像が形成される記録紙の枚数を共に指示することが可能になる。
【図面の簡単な説明】
【０００９】
【図１】本発明の一実施形態にかかる画像形成装置を示す断面図である。
【図２】本実施形態の画像形成装置の主要内部構成を示すブロック図である。
【図３】画像形成装置の表示部の画面における小領域、中領域、及び大領域を示す図である。
【図４】（Ａ）は表示部の画面における大領域と数字のサイズとの関係を示す図、（Ｂ）は表示部の画面における中領域と数字のサイズとの関係を示す図、（Ｃ）は表示部の画面における小領域と数字のサイズとの関係を示す図である。
【図５】タッチパネルに対するスライド操作により表示部の画面上に描かれた数字のサイズに対応する印刷条件及び該数字に対応する記録紙の枚数を設定するための処理手順を示すフローチャートである。
【図６】表示部の画面上に数字ではないラインが描かれた様子を例示する図である。
【図７】表示部の画面に表示された確認メッセージを例示する図である。
【図８】表示部の画面の余白領域に数字が描かれた様子を例示する図である。
【発明を実施するための形態】
【００１０】
以下、本発明の実施形態について図面を参照して説明する。
【００１１】
図１は、本発明にかかる一実施形態の画像形成装置を示す断面図である。本実施形態の画像形成装置１０は、例えば、コピー機能、プリンター機能、スキャナー機能のような複数の機能を兼ね備えたＭＦＰ（複合機）である。この画像形成装置１０は、画像読取部１１と、画像形成部１２とを備えている。
【００１２】
画像読取部１１は、原稿の画像を光学的に読み取る撮像素子を有しており、この撮像素子のアナログ出力がデジタル信号に変換されて、原稿の画像を示す画像データが生成される。
【００１３】
画像形成部１２は、上記画像データによって示される画像を記録紙に印刷するものであり、マゼンタ用の画像形成ユニット３Ｍ、シアン用の画像形成ユニット３Ｃ、イエロー用の画像形成ユニット３Ｙ、及びブラック用の画像形成ユニット３Ｂｋを備えている。各画像形成ユニット３Ｍ、３Ｃ、３Ｙ、及び３Ｂｋのいずれにおいても、感光体ドラム４の表面を均一帯電させ、感光体ドラム４の表面を露光して、感光体ドラム４の表面に静電潜像を形成し、感光体ドラム４の表面の静電潜像をトナー像に現像して、感光体ドラム４の表面のトナー像を中間転写ベルト５に１次転写する。これにより、カラーのトナー像が中間転写ベルト５上に形成される。このカラーのトナー像は、中間転写ベルト５と２次転写ローラー６の間のニップ域Ｎにおいて給紙部１４から搬送路８を通じて搬送されてきた記録紙Ｐに２次転写される。
【００１４】
この後、定着装置１５で記録紙Ｐが加熱及び加圧されて、記録紙Ｐ上のトナー像が熱圧着により定着され、更に記録紙Ｐが排出ローラー１６を通じて排出トレイ１７に排出される。
【００１５】
次に、画像形成装置１０の制御に係る構成について説明する。図２は、画像形成装置１０の主要内部構成を示す機能ブロック図である。図２に示すように画像形成装置１０は、制御ユニット２１、表示部２２、操作部２４、タッチパネル２５、記憶部２８、画像読取部１１、及び画像形成部１２などを備えている。これらの構成要素は、互いにバスを通じてデータ又は信号の送受信が可能とされている。
【００１６】
表示部２２は、液晶ディスプレイ（ＬＣＤ：Liquid Crystal Display）や有機ＥＬ（ＯＬＥＤ：Organic Light-Emitting Diode）ディスプレイなどから構成される。
【００１７】
操作部２４は、テンキー、決定キー、スタートキーなどのハードキーを備えている。
【００１８】
表示部２２の画面には、タッチパネル２５が重ねて設けられている。タッチパネル２５は、所謂抵抗膜方式や静電容量方式などのタッチパネルであって、タッチパネル２５に対するユーザーの指などの接触（タッチ）をその接触位置と共に検知し、表示部２２の画面上のグラフィカルユーザーインターフェース（ＧＵＩ）などに対するユーザーの指示を入力する。従って、タッチパネル２５は、表示部２２の画面に対するユーザー操作が入力される操作部としての役割を果たす。
【００１９】
記憶部２８は、ＲＡＭ、大容量のＨＤＤ（Hard Disk Drive）などからなり、各種のデータやプログラムを記憶している。
【００２０】
制御ユニット２１は、プロセッサー、ＲＡＭ(Random Access Memory）、及びＲＯＭ（Read Only Memory）などから構成される。プロセッサーは、ＣＰＵ（Central Processing Unit）、ＭＰＵ、又はＡＳＩＣ等である。この制御ユニット２１は、上記のＲＯＭまたは記憶部２８に記憶されている制御プログラムが上記のプロセッサーで実行されることにより、制御部３１及び識別部３２として機能する。尚、制御部３１及び識別部３２は、制御プログラムに基づく動作によらず、それぞれハード回路により構成されてもよい。
【００２１】
制御部３１は、種々の処理を実行する処理部としての役割を果たす。制御部３１は、表示部２２を制御して、各種の設定画面や情報などを表示させる。
【００２２】
識別部３２は、タッチパネル２５に対するスライド操作により表示部２２の画面上にスライド操作が行われたとき、タッチパネル２５により認識された当該スライド操作が示す数字及び当該数字のサイズを識別する。
【００２３】
ここで、本実施形態の画像形成装置１０では、ユーザーが、操作部２４又はタッチパネル２５を操作して、印刷ジョブの実行を指示すると、制御部３１は、画像読取部１１により原稿の画像を読取らせて、原稿の画像を示す画像データを画像形成部１２に入力させ、画像形成部１２より原稿の画像を記録紙に印刷させる。
【００２４】
また、そのような印刷ジョブの実行に先立ち、ユーザーが、タッチパネル２５に対するスライド操作により表示部２２の画面上に数字を描くと、識別部３２は、タッチパネル２５を通じて当該スライド操作が示す数字及び該数字のサイズを識別する。制御部３１は、予め設定された複数の印刷条件のうちから、識別部３２によって識別された上記数字のサイズに対応する印刷条件を設定し、識別部３２によって識別された上記数字が示す枚数の記録紙に上記設定した印刷条件で画像形成部１２により画像を形成させる。
【００２５】
例えば、識別部３２は、タッチパネル２５を通じて、スライド操作により表示部２２の画面上に描かれたライン（一連のスライド操作により描かれた軌跡）を検出し、このラインが示す数字をＯＣＲ機能により認識する。
【００２６】
また、識別部３２は、タッチパネル２５を通じて、表示部２２の画面における上記ラインの始点を検出し、このラインの始点に基づき該数字のサイズを判定する。ここで、図３に示すように表示部２２の画面２２Ａは、小領域ＳＲ、該小領域ＳＲの上下に隣接するそれぞれの中領域ＭＲ、及び該各中領域ＭＲの上下に隣接するそれぞれの大領域ＬＲに区分されている。図４（Ａ）に示すように表示部２２の画面２２Ａに数字「７」が描かれ、この数字「７」を示すラインＪの始点ｊ１が大領域ＬＲに含まれる場合は、識別部３２は、この数字「７」のサイズを大サイズとして識別する。また、図４（Ｂ）に示すように数字「７」を示すラインＪの始点ｊ１が中領域ＭＲに含まれる場合は、識別部３２は、この数字「７」のサイズを中サイズとして識別する。更に図４（Ｃ）に示すように数字「７」を示すラインＪの始点ｊ１が小領域ＳＲに入っている場合は、識別部３２は、この数字「７」のサイズを小サイズとして識別する。
【００２７】
そして、制御部３１は、識別部３２によって識別された大サイズ、中サイズ、又は小サイズに対応する予め記憶している印刷条件を設定して、該数字に対応する枚数の記録紙に画像形成部１２により画像形成させる。例えば、印刷条件としては解像度やシャープネスなどがあり、制御部３１により、数字が大サイズの場合は高解像度及び高シャープネスが上記印刷条件として設定され、また数字が中サイズの場合は中解像度及び中シャープネスが上記印刷条件として設定され、更に数字が小サイズの場合は低解像度及び低シャープネスが上記印刷条件として設定される。
【００２８】
尚、上記のように、スライド操作により描かれたラインの始点が大領域ＬＲ、中領域ＭＲ、及び小領域ＳＲのいずれに含まれるかによるサイズの識別に代えて、識別部３２は、(i)スライド操作により描かれたラインの終点が大領域ＬＲ、中領域ＭＲ、及び小領域ＳＲのいずれに含まれるかにより、あるいは、(ii)ラインの始点及び終点の両者が大領域ＬＲ、中領域ＭＲ、及び小領域ＳＲのいずれに含まれるかにより、該ラインからなる数字のサイズを判定してもよい。また、制御部３１は、印刷条件として、コントラスト、濃度、色相などを設定してもよい。
【００２９】
次に、印刷ジョブの実行に際し、タッチパネル２５に対するスライド操作により表示部２２の画面上に描かれた数字のサイズに対応する印刷条件及び該数字に対応する記録紙の枚数を設定するための処理手順を図５に示すフローチャートなどを参照して説明する。
【００３０】
まず、制御部３１は、印刷ジョブの実行を待機している（Ｓ１０１）。ここで、ユーザーが操作部２４のスタートキーを操作してコピー動作の実行指示を入力すると（Ｓ１０２「スタートキー」）、制御部３１は、画像読取部１１により原稿の画像を読取らせて、原稿の画像を示す画像データを画像形成装置１０に入力し、画像形成装置１０より画像をデフォルトの印刷条件でかつ１枚の記録紙に形成させる（Ｓ１０３）。
【００３１】
また、ユーザーがタッチパネル２５に対してタッチ操作すると（Ｓ１０２「タッチ操作」）、制御部３１は、制御ユニット２１に内蔵されるタイマーにより当該タッチ操作の継続時間Ｔαの計時を開始する（Ｓ１０４）。制御部３１は、この継続時間Ｔαが一定時間ＴＡに達することなくタッチ操作が終了した場合は（Ｓ１０５でＮＯ）、このタッチ操作を、表示部２２の画面に表示されているＧＵＩ（ユーザーからの指示を受け付けるために表示されている各種ボタン）に対するタッチ操作として、タッチ操作されたＧＵＩに対応する印刷条件及び記録紙の枚数等を設定する（Ｓ１０７）。そして、ユーザーがスタートキーを操作すると、制御部３１は、画像読取部１１により原稿の画像を読取らせて、原稿の画像を画像形成装置１０により、上記設定した印刷条件でかつその設定された枚数の記録紙に画像形成させる（Ｓ１０８）。
【００３２】
また、制御部３１は、タッチ操作の継続時間Ｔαが一定時間ＴＡに達した場合は（Ｓ１０５でＹＥＳ）、ＧＵＩに対するタッチ操作を禁止する（Ｓ１０９）。すなわち、制御部３１は、タッチパネル２５に対するタッチ操作が一定時間継続した場合には、表示部２２の画面に表示されているＧＵＩに対する操作に基づく指示の入力を受け付けない。制御部３１は、上記のようにタッチ操作により表示部２２の画面に対して描かれた数字のサイズに対応する印刷条件及び該数字に対応する記録紙の枚数を設定するための処理を開始する。
【００３３】
従って、ユーザーは、タッチパネル２５に対して一定時間ＴＡ未満のタッチ操作を行うことにより、ＧＵＩの操作による印刷条件などを設定することができる。また、ユーザーは、このタッチ操作の位置を変更せずに、該タッチ操作を一定時間ＴＡ以上継続させることにより、表示部２２の画面に対して描いた数字に基づく印刷条件などを設定することができる。
【００３４】
ここで、ユーザーが、タッチ操作の継続時間Ｔαが一定時間ＴＡに達した後、タッチパネル２５に対するスライド操作により表示部２２の画面上に数字を描くと、識別部３２は、タッチパネル２５を通じて、スライド操作により表示部２２の画面上に描かれたラインを検出し、このラインが示す数字をＯＣＲ機能により識別する（Ｓ１１０）。
【００３５】
このとき、制御部３１は、識別部３２が数字を認識できなかった場合（Ｓ１１１でＮＯ）、数字が認識できなかった旨を示すエラーメッセージを表示部２２に表示させる（Ｓ１１２）。この後、処理はＳ１０２に戻る。例えば、図６に示すように数字とは異なる他の文字や記号Ｔが表示部２２の画面上に描かれた場合、識別部３２は数字として識別できないため、制御部３１は表示部２２にエラーメッセージを表示させる。
【００３６】
また、識別部３２が数字を識別できた場合（Ｓ１１１でＹＥＳ）、識別部３２は、ユーザーにより表示部２２の画面に対して行われたスライド操作に基づいてタッチパネル２５により取得される座標位置に基づいて、この識別された数字を示すラインの始点が表示部２２の画面における小領域ＳＲ、中領域ＭＲ、及び大領域ＬＲのいずれに含まれるかにより、上記数字のサイズを識別する。識別部３２は、識別した数字のサイズに対応する印刷条件を設定する（Ｓ１１３）。
【００３７】
制御部３１は、識別部３２により上記のように数字が識別された時点から経過時間Ｔβの計時を開始し（Ｓ１１４）、タッチパネル２５を介して更に別のスライド操作が入力されるのを待機する（Ｓ１１５，Ｓ１１５でＮＯ，Ｓ１１６でＮＯ）。
【００３８】
このとき、ユーザーが、経過時間Ｔβが規定時間ＴＢに達するまでに、タッチパネル２５に対する更に別のスライド操作により表示部２２の画面上に次の数字を描かず、識別部３２が、タッチパネル２５を介して再度のスライド操作の入力を受け付けることなく（Ｓ１１５でＮＯ）、制御部３１が、経過時間Ｔβが規定時間ＴＢに達した判断した場合（Ｓ１１６でＹＥＳ）、制御部３１は、Ｓ１１０で認識した数字（ここでは一桁）に対応する記録紙の枚数を設定する（Ｓ１１８）。更に制御部３１は、図７に例を示すように、Ｓ１１３で設定した印刷条件及びＳ１１８で設定した記録紙の枚数を示す確認メッセージＭＳを表示部２２に表示させる（Ｓ１１９）。
【００３９】
ユーザーは、表示部２２に表示された印刷条件及び記録紙の枚数を確認して、表示部２２の画面上のＯＫキーＫ１又はＮＧキーＫ２（図７に示す）をタッチ操作する。例えば、制御部３１は、タッチパネル２５を通じて、ＯＫキーＫ１のタッチ操作の入力を受け付けると、画像形成部１２を制御して、画像をＳ１１３で設定した印刷条件でかつＳ１１８で設定した枚数の記録紙に記録させる（Ｓ１２０）。
【００４０】
また、ユーザーが、経過時間Ｔβが規定時間ＴＢに達するまでに、タッチパネル２５に対する更に別のスライド操作により表示部２２の画面上に次の数字を描いて、識別部３２が、タッチパネル２５を介して再度のスライド操作の入力を受け付けた場合（Ｓ１１６でＮＯ，Ｓ１１５でＹＥＳ）、識別部３２は、タッチパネル２５を通じて、当該更なるスライド操作によるラインを検出し、このラインが示す数字をＯＣＲ機能により識別する（Ｓ１１５、Ｓ１１７でＹＥＳ）。更に、識別部３２は、Ｓ１１０及びＳ１１１で識別した数字を上位の桁とし、Ｓ１１５で識別した数字を下位の桁とした複数桁（本実施形態では２桁）の数字を識別する。制御部３１は、この識別された複数桁の数字に対応する記録紙の枚数を設定し（Ｓ１１８）、図７に例を示すように、Ｓ１１３で設定した印刷条件及びＳ１１８で設定した記録紙の枚数を示す確認メッセージＭＳを表示部２２に表示させる（Ｓ１１９）。
【００４１】
更に、制御部３１は、タッチパネル２５を通じて、ＯＫキーＫ１のタッチ操作を判定すると画像形成実行指示を受け付け、画像形成部１２を制御して、Ｓ１１３で設定した印刷条件で、Ｓ１１８で設定した枚数の記録紙に画像を形成させる（Ｓ１２０）。なお、ユーザーがＮＧキーＫ２をタッチ操作して画像形成のキャンセル指示が制御部に受け付けられたときは、処理はＳ１０２に戻る。
【００４２】
なお、識別部３２が上記更なる別のスライド操作に基づいて表示部２２の画面上に描かれたラインからなる数字をＯＣＲで認識することができなかった場合（Ｓ１１７でＮＯ）、制御部３１は、数字が認識できなかった旨を示すエラーメッセージを表示部２２に表示させる（Ｓ１２１）。この後、処理はＳ１０２に戻る。
【００４３】
このように本実施形態では、ユーザーにより表示部２２の画面上で数字が描かれると、その数字のサイズに対応する印刷条件でかつ該数字に対応する枚数の記録紙に画像形成が行われる。すなわち、タッチパネル２５に対する一回の入力操作で、画像の印刷条件及び画像が形成される記録紙の枚数を共に指示することができる。
【００４４】
ところで、上記実施形態では、タッチパネル２５に対するタッチ操作が一定時間継続した場合に、該タッチ操作に続くスライド操作により表示部２２の画面上に描かれた数字及び該数字のサイズを識別部３２が識別しているが、この代わりに、図８に例を示すように、スライド操作により数字が表示部２２の画面の余白領域ＹＲ（表示画面において何も表示されていない部分）に描かれた場合に、識別部３２が、その余白領域ＹＲに描かれた数字及び該数字のサイズを識別してもよい。また、識別部３２は、タッチパネル２５に対するスライド操作により余白領域ＹＲに数字が描かれてから規定時間経過後に他の数字が描かれると、当該各数字からなる複数桁の数字を識別するようにしてもよい。この実施形態では、スライド操作により余白領域ＹＲに描かれた数字が識別されるため、当該数字識別が、表示部２２の画面に表示されているＧＵＩに基づくユーザーからの指示受付に影響を与えることがなく、制御部３１は、表示部２２の画面に表示されているＧＵＩに対する操作に基づく指示の入力を常に受け付けることができる。
【００４５】
また、制御部３１は、図３に示すように小領域ＳＲと中領域ＭＲの境界線（１点鎖線）、中領域ＭＲと大領域ＬＲの境界線（２点鎖線）を表示部２２の画面上に表示させてもよい。あるいは、制御部３１は、小領域ＳＲ、中領域ＭＲ、大領域ＬＲをそれらの背景の濃度、明度、色彩などを互いに異ならせて、当該各領域をそれぞれ異なる表示態様で表示させるようにしてもよい。これによれば、ユーザーは、大サイズ、中サイズ、小サイズの数字に応じたスライド操作を容易に区別して、表示部２２の画面に行うことができる。
【００４６】
また、識別部３２は、ユーザーによりスライド操作が行われたときに、タッチパネル２５を通じて、スライド操作により表示部２２の画面上に描かれたラインを検出し、このラインが示す数字の縦幅又は横幅を更に検出し、この縦幅又は横幅に応じて数字のサイズを識別するようにしてもよい。
【００４７】
また、識別部３２が識別する数字サイズは、大サイズ、中サイズ、小サイズという３種類のサイズに限らず、２種類のサイズ、あるいは４種類以上のサイズであってもよい。この場合、制御部３１は、該各サイズに対応するそれぞれの印刷条件のいずれかを設定する。
【００４８】
また、図１乃至図８を用いて説明した上記実施形態の構成及び処理は、本発明の一例に過ぎず、本発明を当該構成及び処理に限定する趣旨ではない。
【符号の説明】
【００４９】
１０      画像形成装置
１１      画像読取部
１２      画像形成部
２１      制御ユニット
２２      表示部
２４      操作部
２５      タッチパネル
２８      記憶部
３１      制御部
３２      識別部
【図１】
2019195985.tif 000003
【図２】
2019195985.tif 000004
【図３】
2019195985.tif 000005
【図４】
2019195985.tif 000006
【図５】
2019195985.tif 000007
【図６】
2019195985.tif 000008
【図７】
2019195985.tif 000009
【図８】
2019195985.tif 000010